(57)【要約】      （修正有）【課題】送り出し機能部材付き複数用途機能消しゴム。【解決手段】硬質プラスチック箱状に２種類及び複数以上送り出し機能部材を箱状内部に装填し、箱に送り出し機能部材の前進をスムーズに進行させるガイドを有し、出し入れの自在性を実現する。【選択図】図４
2007062345.tif 000002
【特許請求の範囲】
【請求項１】
字消しを目的とした消しゴムであって汚れ防止のために硬質プラスチック箱状に収納が成され字消しの用途、目的の必要に応じて送りだし機能を持つ部材を複数以上箱状に装填し、単一製品でありながら筆記された文字に応じた消しゴムを備え、且つ用途に応じた消しゴムと削りカスを履く刷毛を備える事が出来る消しゴム。
【発明の詳細な説明】
【技術分野】
【０００１】本発明は一般文房具用消しゴム及び消しゴム用刷毛。
【背景技術】
【０００２】従来生産、使用されている消しゴム類は単一送り出し機能付きでありまた、字消し用途２種類備えた製品は砂消しゴムと一般用消しゴムが一体で作られているのが現状である。【０００３】上述の一体で作れている２種類用途の消しゴムは成形された状態のままでケース等で収納されておらず汚れ易いのが現状である。【０００４】送り出し機能部材付き製品では字消し用途が単一である製品が生産され使用されている。
【発明の開示】
【発明が解決しようする課題】
【０００４】上述のように従来技術に関わる消しゴムでは２種類及び複数の字消しの用途を持つ消しゴムが使用されない時汚れないようにケース内に収納されて使用時に送り出し機能を前進させる。使用時は奇麗な状態で使える。
【０００５】従来の消しゴムはさまざまな字消し目的のため生産され使用されているが総じて字消しの目的、用途が単一である。
字消しの用途は小さな文字を消す消しゴムや油性ボールペン、また削りカスを履く刷毛などを有する消しゴム製品類が送り出し機能部材によって出し入れに自在性があって必要に応じて送り出し、使用出来れば便利であり、またペンケース、ペンポーチなどに収納出来るコンパクトなサイズで作られているとなお便利である。
【課題を解決するための手段】
【０００６】上述の目的を達成する本発明は硬質プラスチック箱状に２種類及び複数以上送り出し機能部材を箱状内部に装填し、箱に送り出し機能部材の前進をスムーズに進行させるガイドを有し、出し入れの自在性を実現する。
【０００７】上述のように送り出し機能部材にはめ込まれたさまざまな消しゴム例えば砂消しゴムや、細字用消しゴム、一般用消しゴム、削りカスを履く刷毛などが必要に応じて出し入れ自在で使える。
箱のサイズによって送り出し機能部材を複数体装填することによって用途目的に広がりを持つことも可能である。
【発明の効果】
【０００８】以上説明したように本発明によれば硬質プラスチック製箱状に複数以上送り出し機能部材が箱状名内部のガイドに装填し、送り出し機能部材にはめ込まれた消しゴム類及び刷毛が必要に応じて出し入れし、使用するものであり、単一製品で字消しの用途目的が複数以上、達成できることが可能となり字消し道具として有効な製品なり得る。
【発明を実施する最良の方法】
【０００９】以上本発明の実施の形態を図面に基ずき説明する。
【００１０】図１〜図４は硬質プラスチック製箱状の断面図である。
図４は消しゴムと刷毛を装填された図であって３．送りだし機能部材が箱の２．ガイドに沿って前進、後進させている断面の略図である。
【００１１】図５に示すように送りだし機能部材はｄハンドレバーを押し下げながら前進、後進させ、３．箱のガイドに沿ってａ送りだし機能部材のストッパーが３．箱状がイドｆ．送りだしストッパーで止まり、ｅ．送りだしピッチでだけ前進、後進が自在に出来るようになっている。
【００１２】図６は４．消しゴム、５．刷毛を送りだし機能部材に装填された断面図ある。
【図１】
2007062345.tif 000003
【図２】
2007062345.tif 000004
【図３】
2007062345.tif 000005
【図４】
2007062345.tif 000006
【図５】
2007062345.tif 000007
【図６】
2007062345.tif 000008
【手続補正書】
【提出日】平成17年11月22日(2005.11.22)
【手続補正２】
【補正対象書類名】明細書
【補正対象項目名】全文
【補正方法】変更
【補正の内容】
【発明の詳細な説明】
【技術分野】
【０００１】本発明は一般文房具用消しゴム及び消しゴム用刷毛。
【背景技術】
【０００２】従来生産、使用されている消しゴム類は単一送り出し機能付きでありまた、字消し用途２種類備えた製品は砂消しゴムと一般用消しゴムが一体で作られているのが現状である。【０００３】上述の一体で作れている２種類用途の消しゴムは成形された状態のままでケース等で収納されておらず汚れ易いのが現状である。【０００４】送り出し機能部材付き製品では字消し用途が単一である製品が生産され使用されている。
【発明の開示】
【発明が解決しようする課題】
【０００５】上述のように従来技術に関わる消しゴムでは２種類及び複数の字消しの用途を持つ消しゴムが使用されない時汚れないようにケース内に収納されて使用時に送り出し機能を前進させる。使用時は奇麗な状態で使える。
【０００６】従来の消しゴムはさまざまな字消し目的のため生産され使用されているが総じて字消しの目的、用途が単一である。
字消しの用途は小さな文字を消す消しゴムや油性ボールペン、また削りカスを履く刷毛などを有する消しゴム製品類が送り出し機能部材によって出し入れに自在性があって必要に応じて送り出し、使用出来れば便利であり、またペンケース、ペンポーチなどに収納出来るコンパクトなサイズで作られているとなお便利である。
【課題を解決するための手段】
【０００７】上述の目的を達成する本発明は硬質プラスチック箱状に２種類及び複数以上送り出し機能部材を箱状内部に装填し、箱に送り出し機能部材の前進をスムーズに進行させるガイドを有し、出し入れの自在性を実現する。
【０００８】上述のように送り出し機能部材にはめ込まれたさまざまな消しゴム例えば砂消しゴムや、細字用消しゴム、一般用消しゴム、削りカスを履く刷毛などが必要に応じて出し入れ自在で使える。
箱のサイズによって送り出し機能部材を複数体装填することによって用途目的に広がりを持つことも可能である。
【発明の効果】
【０００９】以上説明したように本発明によれば硬質プラスチック製箱状に複数以上送り出し機能部材が箱状名内部のガイドに装填し、送り出し機能部材にはめ込まれた消しゴム類及び刷毛が必要に応じて出し入れし、使用するものであり、単一製品で字消しの用途目的が複数以上、達成できることが可能となり字消し道具として有効な製品なり得る。
【発明を実施するため最良の形態】
【００１０】以上本発明の実施の形態を図面に基ずき説明する。
【００１１】図１〜図４は硬質プラスチック製箱状の断面図である。
図４は消しゴムと刷毛を装填された図であって３．送りだし機能部材が箱の２．ガイドに沿って前進、後進させている断面の略図である。
【００１２】図５に示すように送りだし機能部材はｄハンドレバーを押し下げながら前進、後進させ、３．箱のガイドに沿ってａ送りだし機能部材のストッパーが３．箱状がイドｆ．送りだしストッパーで止まり、ｅ．送りだしピッチでだけ前進、後進が自在に出来るようになっている。
【００１３】図６は４．消しゴム、５．刷毛を送りだし機能部材に装填された断面図ある。
【００１４】図６は４．消しゴム、５．刷毛を送りだし機能部材に装填された断面図ある。
【図面の簡単な説明】
【００１５】
【図１】本発明実施による硬質プラスチック製箱の断面図である。
【００１６】
【図２】硬質プラスチック箱製の上面断面図である。
【００１７】
【図３】硬質プラスチック製箱に送りだし機能部材に消しゴム及び刷毛を装填した断面図である。
【００１８】
【図４】硬質プラスチック製箱に送りだし機能部材に消しゴム及び刷毛を装填した上面断面図である。
【００１９】
【図５】送りだし機能部材の断面図である。
【００２０】
【図６】送りだし機能部材に消しゴムを装填した断面図及び刷毛の断面図である。
【符号の説明】
【００２１】１．硬質プラスチック製箱      ａ．送り出し機能部材のストッパー
２．箱のガイド                ｂ．送り出し機能部材ハンドレバー
３．送り出し機能部材          ｃ．ハンドレバー浮き防止突起
４．消しゴム類                ｄハンドレバー
５．刷毛                      ｅ．送りだしピッチ
ｆ．送り出しストッパー
ｇ消しゴム／刷毛受け穴